(57)【要約】  本発明は、枚葉紙をスタック状に積み重ねるための装置（１０）、並びに複数のこのような装置（１０）を有する、有価証券若しくは紙幣を預け入れるための装置に関する。この装置（１０）は、枚葉紙スタック（２２）を搬送するための少なくとも１つの支持面（１６，１８）を有しており、該支持面（１６，１８）自体が、若しくはこの支持面上に位置する枚葉紙スタック（２２）の上側面が、枚葉紙（８０）を積み重ねるためのスタック面（２４）を形成しており、第１のローラ（３０）と少なくとも１つの第１のベルト（２６）とを備えたロールオン装置が設けられており、前記第１のローラ（３０）がその長手方向軸線に対して直交する横方向で、前記スタック面（２４）に対して平行に向けられた調節ストロークに沿って調節可能であって、前記第１のベルト（２６）が、上方から前記第１のローラ（３０）を巡って巻き掛けられ、スタック面（２４）に対して平行に、調節ストロークの終端部の領域内で第１の固定箇所（２８）に向かってガイドされ、この第１の固定箇所（２８）で第１のベルト（２６）が固定され、この際に枚葉紙スタック（２２）を保持するために前記スタック面（２４）が下方から少なくとも１つの第１のベルト（２６）に向かって押し付けられるようになっている。またこの装置（１０）は、枚葉紙（８０）の縁部（８２）をスタック面（２４）の一端部に向かって搬送するための枚葉紙供給装置を有しており、前記スタック面（２４）上で枚葉紙がスタック面（２４）の一端部からスタック面（２４）の他端部に向かってロールオンされるようになっている。この場合、前記枚葉紙供給装置は、調節ストロークに沿って、枚葉紙（８０）を縁部（８２）で以てスタック面（２４）の一端部に向かって搬送する第１の位置と、枚葉紙（８０）の縁部（８２）を別のスタック面（２４）の一端部に向かってガイドするか、又は枚葉紙（８０）をさらに搬送するための搬送装置（７６）内にガイドすることができる少なくとも１つの別の位置との間で調節可能となっている。
2007506627.tif 000002
【特許請求の範囲】
【請求項１】
殊に紙幣又は小切手の形の枚葉紙をスタック状に積み重ねるための装置（１０）であって、
枚葉紙スタック（２２）を搬送するための少なくとも１つの支持面（１６，１８）が設けられており、該支持面（１６，１８）自体が、若しくはこの支持面上に位置する枚葉紙スタック（２２）の上側面が、枚葉紙（８０）を積み重ねるためのスタック面（２４）を形成しており、
第１のローラ（３０）と少なくとも１つの第１のベルト（２６）とを備えたロールオン装置が設けられており、前記第１のローラ（３０）がその長手方向軸線に対して直交する横方向で、前記スタック面（２４）に対して平行に向けられた調節ストロークに沿って調節可能であって、前記第１のベルト（２６）が、上方から前記第１のローラ（３０）を巡って巻き掛けられ、スタック面（２４）に対して平行に、調節ストロークの終端部の領域内で第１の固定箇所（２８）に向かってガイドされ、この第１の固定箇所（２８）で第１のベルト（２６）が固定され、この際に枚葉紙スタック（２２）を保持するために前記スタック面（２４）が下方から少なくとも１つの第１のベルト（２６）に向かって押し付けられるようになっており、
枚葉紙（８０）の縁部（８２）をスタック面（２４）の一端部に向かって搬送するための枚葉紙供給装置が設けられており、前記スタック面（２４）上で枚葉紙がスタック面（２４）の一端部からスタック面（２４）の他端部に向かってロールオンされるようになっている形式のものにおいて、
前記供給装置が、この供給装置内に保持された枚葉紙と共に、調節ストロークに沿って、枚葉紙（８０）の縁部（８２）をスタック面（２４）の一端部に向かって搬送する第１の位置と、枚葉紙（８０）の縁部（８２）を別のスタック面（２４）の一端部に向かってガイドするか、又は枚葉紙（８０）をさらに搬送するための搬送装置（７６）内にガイドすることができる少なくとも１つの別の位置との間で調節可能であることを特徴とする、枚葉紙を選択的にスタック状に積み重ねるための装置（１０）。
【請求項２】
第１のローラ（３０）と供給装置とが、調節ストロークに沿って走行可能なキャリッジ又はスライダに固定されている、請求項１記載の装置（１０）。
【請求項３】
調節ストロークに沿って複数の支持面（１６，１８）が配置されており、これらの支持面（１６，１８）が枚葉紙（８０）のためのそれぞれ１つのスタック面（２４）を形成している、請求項１又は２記載の装置（１０）。
【請求項４】
前記装置（１０）が搬送装置（７６）を有しており、該搬送装置（７６）が２つのスタック面の間に配置されていて、供給装置が調節ストローク内に配置された引き渡し位置を占めると、この搬送装置（７６）に枚葉紙（８０）が供給装置から引き渡し可能となっている、請求項３記載の装置（１０）。
【請求項５】
ロールオン装置が、第１のローラ（３０）に対して平行な第２のローラ（４０）を有していて、該第２のローラ（４０）が第１のローラ（３０）と一緒に調節ストロークに沿って調節可能であり、
第１のローラ（３０）と第２のローラ（４０）との間にローラギャップが形成されており、
少なくとも１つのベルト（２６）が第１のベルト貯蔵装置（３２）から前記ローラギャップを上方から通って、前記第１のローラ（３０）を巡ってガイドされており、
少なくとも１つの第２のベルト（３６）が設けられており、該第２のベルト（３６）が第２のベルト貯蔵装置（４２）から前記ローラギャップを上方から通って、第２のローラ（４０）を巡って、前記スタック面（２４）に対して平行に、調節ストロークの他端部の領域内で第２の固定箇所（３８）に向かってガイドされ、この調節ストロークで固定されている、請求項１から４までのいずれか１項記載の装置（１０）。
【請求項６】
第１及び第２のベルト貯蔵装置（３２）が、それぞれ１つの貯蔵ローラによって形成されており、該貯蔵ローラ上に少なくとも１つの第１のベルト（２６）若しくは少なくとも１つの第２のベルト（３６）が巻取り可能である、請求項５記載の装置（１０）。
【請求項７】
前記貯蔵ローラがそれぞれ１つの巻取り軸（３４，４４）に支承されていて、一方の巻取り軸（３４，４４）が駆動モータによって伝動装置を介して他方の巻取り軸（４４，３４）に連結されており、これらの貯蔵ローラ（３２，４２）がそのそれぞれの巻取り方向にプリロードをかけられている、請求項６記載の装置（１０）。
【請求項８】
供給装置がベルト搬送装置によって形成されている、請求項１から７までのいずれか１項記載の装置（１０）。
【請求項９】
前記供給装置が、第１若しくは第２のローラ（３０，４０）の軸線と同じ軸線を有する第３及び第４のローラ（５０，５２）を有しており、これらの第３及び第４のローラ（５０，５２）を巡って、ベルト搬送装置のための搬送ベルトを形成する少なくとも１つの第３若しくは少なくとも１つの第４のベルト（６２，６４）が巻き掛けられている、請求項８記載の装置（１０）。
【請求項１０】
第３若しくは第４のローラ（５０，５２）の直径が、第１若しくは第２のローラ（３０，４０）の直径よりも少なくとも次の程度大きく構成されている、つまり、少なくとも１つの第３のベルト（６２）と少なくとも１つの第４のベルト（６４）との間で、第１のローラ（３０）と第２のローラ（４０）との間のローラギャップを通って搬送される枚葉紙（８０）が、このローラギャップの領域内で、少なくとも１つの第１のベルト（２６）及び少なくとも１つの第２のベルト（３６）に接触しない程度に大きく構成されている、請求項９記載の装置（１０）。
【請求項１１】
第３若しくは第４のローラ（５０，５２）が、第１若しくは第２の軸（４６，４８）に相対回動不能に取り付けられていて、第１若しくは第２のローラ（３０，４０）が第１若しくは第２の軸（４６，４８）に自由に回転可能に支承されている、請求項９又は１０記載の装置（１０）。
【請求項１２】
第１の軸（４６）及び第２の軸（４８）にそれぞれ１つの駆動歯車（６８，７０）が支承されており、該駆動歯車（６８，７０）が、フリーホイールを介してそれぞれの軸（４６，４８）に連結されていて、各駆動歯車（６８，７０）が所属の軸（４６，４８）を、枚葉紙（８０）を供給する回転方向でのみ駆動するようになっている、請求項１１記載の装置（１０）。
【請求項１３】
第１及び第２の軸（４６，４８）に、互いに噛み合っているそれぞれ１つのカップリング歯車（６６）が組み付けられている、請求項１１又は１２記載の装置（１０）。
【請求項１４】
定置の駆動歯車（７８）が設けられており、該駆動歯車（７８）は、供給装置が引き渡し位置にある時に噛み合う、請求項１２又は１３記載の装置。
【請求項１５】
定置の駆動歯車（７８）が搬送装置（７６）に連結されている、請求項１４記載の装置（１０）。
【請求項１６】
少なくとも１つのラック（７２．７４）が、調節ストロークの少なくとも一部に沿って配置されていて、所属の軸（４６，４８）が調節ストロークに沿ってラックの傍らを通過すると、一方の駆動歯車（６８，７０）が前記少なくとも１つのラック（７２，７４）に噛み合うようになっている、請求項１２から１５までのいずれか１項記載の装置（１０）。
【請求項１７】
有価証券（８０）を預け入れるための装置（８４）において、該装置（８４）が、請求項１から１６までのいずれか１項記載のの第１の装置（１０）と少なくとも１つの第２の装置（１０）とを有しており、これらの第１の装置（１０）と第２の装置（１０）とは、第１の装置（１０）の搬送装置（７６）が有価証券（８０）を第２の装置（１０）の供給装置に引き渡すことができるように配置されていることを特徴とする、有価証券（８０）を預け入れるための装置（８４）。
【発明の詳細な説明】
【技術分野】
【０００１】
本発明は、請求項１の上位概念部に記載した形式の、枚葉紙特に紙幣（銀行券）又は小切手用紙をスタック（積み紙）状に積み重ねるための装置に関する。
【０００２】
このような形式の装置は、枚葉紙スタックを支持するための少なくとも１つの支持面を有しており、この場合、この支持面自体、若しくはこの支持面上に載せられる枚葉紙スタックの表面が、枚葉紙を載せるためのスタック面を形成する。さらにこの装置はロールオン装置（Aufwalzvorrichtung；敷きのばし装置）を有しており、このロールオン装置は、縦軸線に対して横方向で調節ストロークに沿って調節可能な第１のローラと、少なくとも１つの第１のベルトとを有しており、この第１のベルトは、上方から第１のローラを巡って巻き掛けられ、スタック面に対して平行に、調節ストロークの一端部の領域内にある第１の固定箇所に向かってガイドされていて、この第１の固定箇所に固定されている。この場合、枚葉紙スタックを保持するためのスタック面は、下方から少なくとも１つのベルトに押し付けられる。さらにこの装置は枚葉紙供給装置を有しており、この枚葉紙供給装置は、枚葉紙の縁部をスタック面の一端部に向かって搬送して、このスタック面上でスタック面の一端部からスタック面の他端部に向かって枚葉紙をロールオンする（aufwalzen；ローラを用いて敷きのばす）ようになっている。
【０００３】
本発明はまた、有価証券若しくは紙幣を預け入れるための装置に関する。
【０００４】
「少なくとも１つ」の第１のベルトという意味は、個別の第１のベルトの代わりに特に、互いに平行に配置されていて同じ形式でガイドされた複数の第１のベルトのグループを使用することもできる、ということである。
【０００５】
冒頭に述べた形式の装置は、ドイツ連邦共和国特許第１０１０５２４２号明細書、ヨーロッパ公開特許第０４７０３２９号明細書、ヨーロッパ特許第０７４７８６６号明細書により公知である。この公知の装置においては、枚葉紙が、第１のローラから、この第１のローラを巡ってガイドされた少なくとも１つの第１のベルトによって、スタック面の他方の端部に向かってロールオンされるようになっている。ロールオン（ローラを用いた敷きのばし）は、枚葉紙の一端部がスタック面の第１の端部に向かって搬送され、次いで第１のローラが調節ストロークに沿ってスタック面の第１の端部からスタック面の第２の端部に向かって転動せしめられることによって行われる。この時に第１のローラに巻き掛けられた少なくとも１つの第１のベルトがスタック面上で展開せしめられ、それによって、ばねによって下方から第１のベルトに向かって押し付けられる枚葉紙スタックが保持される。
【０００６】
ドイツ連邦共和国特許第１０１０５２４２号明細書及びヨーロッパ特許第０７４７８６６号明細書においては、枚葉紙供給装置が少なくとも１対の搬送ローラによって形成されており、この１対の搬送ローラの外周面間にローラギャップが形成され、このローラギャップを通って枚葉紙がガイドされるようになっている。搬送ローラ対は、ローラギャップを通ってガイドされた枚葉紙の一端部がスタック面の一端部に向かってガイドされるように配置されている。
【０００７】
ヨーロッパ公開特許第０４７０３２９号明細書によれば、枚葉紙スタックを支持するための支持面がケーシング内で高さ調節可能に配置されている。
【０００８】
第１のローラは、調節ストロークに沿って調節可能なスライダに固定されている。第１のベルトが、スタック面の端部付近でケーシングに固定されていて、この固定箇所から第１のローラを巡って、定置の一連の変向ローラを介してケーシングの下を通って、同様にスライダに固定された第２のローラにガイドされ、さらにこの第２のローラを巡って、スタック面の他端部付近の別の固定箇所にガイドされる。第１のローラと第２のローラとの間に、これらの第１及び第２のローラに対して平行な第３のローラが設けられており、この第３のローラを介してエンドレスベルトが延びていて、このエンドレスベルトは、２つの別の変向ローラを介して緊締されていて、第１のベルトと共にベルト搬送装置を形成している。このベルト搬送装置は、２つのベルト間でガイドされた枚葉紙をその一方の縁部で以てスタック面の一端部に搬送する。この実施例においては、枚葉紙搬送装置がベルト搬送装置によって形成されており、このベルト搬送装置の１つのベルトが、少なくとも１つの第１のベルトによって形成される。
【０００９】
実際には、１つの機械内に冒頭に述べた形式の複数の装置が使用されている。例えば、紙幣（銀行券）又は小切手用紙を種々異なるボックス内にスタック状に積み重ねるために、現金自動預け払い機に、冒頭に述べた形式の複数の装置が典型的な形式で使用されている。原則として、形成しようとする各枚葉紙スタックのために、つまりそれぞれ存在するボックスのために、これらの複数の装置のそれぞれ１つが必要とされる。つまり形成しようとするそれぞれの枚葉紙スタックにそれぞれ固有の１つのロールオン装置及び１つの枚葉紙供給装置が配属されている。また一般的な形式で、形成しようとするそれぞれの枚葉紙スタックのために、装置の枚葉紙支持装置内に少なくとも１つのポイント（分岐器）が設けられており、このポイントを介して枚葉紙が所属の枚葉紙供給装置に供給される。これらの必要とされる複数の構成部材によって、コストが高価になり、所要スペースも大きくなる。
【００１０】
ヨーロッパ公開特許第０４７０３２９号明細書には、２つの枚葉紙スタックが相前後して、第１のローラの調節ストロークに沿って配置されていて、それによって２つの枚葉紙スタックが１つのロールオン装置だけを用いて形成され得るようになっている、実施例が開示されている。このヨーロッパ公開特許第０４７０３２９号明細書に記載された特別な形式のロールオン装置によれば、枚葉紙が枚葉紙供給装置に導入される時点を適当に選択することによって、枚葉紙を一方又は他方のスタック上に積み重ねることができる。
【００１１】
勿論、ヨーロッパ公開特許第０４７０３２９号明細書に開示されたロールオン装置は比較的複雑であって、大きいスペースを必要とするので、その点で既に不都合である。またロールオン装置及び供給装置は、形成しようとする２つの枚葉紙スタックのために共通に使用しようとする場合、第１のベルトを２つの枚葉紙スタックの下を通してガイドする必要があり、従って枚葉紙を２つの枚葉紙スタック間を通して垂直方向に搬送することはできないという、重大な欠点がある。これによって、このような複数のロールオン装置を備えた装置の構造が著しく限定される。
【００１２】
本発明の課題は、冒頭に述べた形式の装置を改良して、少なくとも以上のような問題点を解決することできるようなものを提供することである。
【００１３】
この課題を解決した本発明によれば、供給装置が、この供給装置内に保持された枚葉紙と共に、調節ストロークに沿って、枚葉紙の縁部をスタック面の一端部に向かって搬送する第１の位置と、枚葉紙の縁部を別のスタック面の一端部に向かってガイドするか、又は枚葉紙をさらに搬送するための搬送装置内にガイドすることができる少なくとも１つの別の位置との間で調節可能に構成されている。
【００１４】
ドイツ連邦共和国特許第１０１０５２４２号明細書並びにヨーロッパ特許第０７４７８６６号明細書に開示された、定置の供給装置が、単に枚葉紙を正確に１つのスタック面に供給するためにだけ規定されているものと比較して、本発明の供給装置は少なくとも２倍の機能を有している。スタック面に供給する従来の機能と共に、本発明による装置の調節可能な供給装置は、この供給装置内で保持された枚葉紙を別のスタック面にガイドすることができる（これは選別機能に相当する）か、又はさらに搬送するための搬送装置にガイドすることができ、これによって搬送経路内での分岐が実現される。
【００１５】
いずれの場合も、従来の装置と比較して、一般的な形式で分類機能又は分岐のために必要であるような分岐器（ポイント）を省くことができる。供給装置内で保持された枚葉紙を別のスタック面にガイドする場合（選別機能に相当する）、しかも従来の装置に対して１つの供給装置を節約することができる。何故ならばこの場合、１つの供給装置が、２つのスタック面に枚葉紙供給するために用いられるからである。
【００１６】
ヨーロッパ公開特許第０４７０３２９号明細書による装置は、同様に選別機能を有しているが、この選別機能は調節可能な調節装置によって得られるのではなく、枚葉紙が定置の供給装置に供給される時点を選択することによって得られる。しかも、このヨーロッパ公開特許第０４７０３２９号明細書においては搬送装置に引き渡すことによる分岐機能は、設けられておらず、また簡単な形式で実現可能でもない。この場合、重要な問題は、このヨーロッパ公開特許第０４７０３２９号明細書による供給装置のベルトが前記装置を広い部分に亘って包囲していて、それによってさらなる搬送を妨げている。
【００１７】
有利な形式で、第１のローラと供給装置とは、調節ストロークに沿って走行可能なキャリッジ又はスライダに固定されている。従って、供給装置は、調節ストロークに沿った調節のための付加的な駆動装置は必要ない。
【００１８】
有利な形式で、調節ストロークに沿って複数の支持面が配置されており、これらの支持面が枚葉紙のためのそれぞれ１つのスタック面を形成している。有利な形式で、前記装置が搬送装置を有しており、該搬送装置が２つのスタック面の間に配置されていて、供給装置が調節ストローク内に配置された引き渡し位置を占めると、この搬送装置に枚葉紙が供給装置から引き渡し可能となっている。
【００１９】
有利な実施態様によれば、ロールオン装置が、第１のローラに対して平行な第２のローラを有していて、該第２のローラが第１のローラと一緒に調節ストロークに沿って調節可能であり、第１のローラと第２のローラとの間にローラギャップが形成されており、少なくとも１つのベルトが第１のベルト貯蔵装置から前記ローラギャップを上方から通って、前記第１のローラを巡ってガイドされており、少なくとも１つの第２のベルトが設けられており、該第２のベルトが第２のベルト貯蔵装置から前記ローラギャップを上方から通って、第２のローラを巡って、前記スタック面に対して平行に、調節ストロークの他端部の領域内で第２の固定箇所に向かってガイドされ、この調節ストロークで固定されている。少なくとも１つの第１のベルトと、少なくとも１つの第２のベルトとを使用することによって、枚葉紙スタックは、第１及び第２のローラの実際の位置とは無関係に、常に１つのベルトによって保持される。
【００２０】
有利には、第１及び第２のベルト貯蔵装置が、それぞれ１つの貯蔵ローラによって形成されており、該貯蔵ローラ上に少なくとも１つの第１のベルト若しくは少なくとも１つの第２のベルトが巻取り可能である。
【００２１】
有利な実施態様によれば、貯蔵ローラがそれぞれ１つの巻取り軸に支承されていて、一方の巻取り軸が駆動モータによって伝動装置を介して他方の巻取り軸に連結されており、これらの貯蔵ローラがそのそれぞれの巻取り方向にプリロードをかけられている。
【００２２】
有利な実施例によれば、供給装置がベルト搬送装置によって形成されている。この場合、有利な形式で、供給装置が、第１若しくは第２のローラの軸線と同じ軸線を有する第３及び第４のローラを有しており、これらの第３及び第４のローラを巡って、ベルト搬送装置のための搬送ベルトを形成する少なくとも１つの第３若しくは少なくとも１つの第４のベルトが巻き掛けられている。これによって、本発明による装置はまったく簡単、かつコンパクトである。
【００２３】
この場合有利な形式で、第３若しくは第４のローラの直径が、第１若しくは第２のローラの直径よりも少なくとも次の程度大きい、つまり、少なくとも１つの第３のベルトと少なくとも１つの第４のベルトとの間で、第１のローラと第２のローラとの間のローラギャップを通って搬送される枚葉紙が、このローラギャップの領域内で、少なくとも１つの第１のベルト及び少なくとも１つの第２のベルトに接触しない程度に大きい。これは、それぞれ繰り広げられる第１のベルト又は第２のベルトの循環方向において、枚葉紙供給装置のベルト搬送装置内での枚葉紙搬送との交錯を避けるために、有利である。これについては以下に詳しく説明されている。
【００２４】
有利な形式で、第３若しくは第４のローラが、第１若しくは第２の軸に相対回動不能に取り付けられていて、第１若しくは第２のローラが第１若しくは第２の軸に自由に回転可能に支承されている。この場合、第１の軸及び第２の軸にそれぞれ１つの駆動歯車が支承されており、該駆動歯車が、フリーホイールを介してそれぞれの軸に連結されていて、各駆動歯車が所属の軸を、枚葉紙を供給する回転方向でのみ駆動するようになっている。
【００２５】
また、第１及び第２の軸に、互いに噛み合っているそれぞれ１つのカップリング歯車が組み付けられている。有利な実施態様によれば、定置の駆動歯車が設けられており、該駆動歯車は、供給装置が引き渡し位置にある時に噛み合うようになっている。定置の駆動歯車は、有利な形式で搬送装置に連結されている。また少なくとも１つのラックが、調節ストロークの少なくとも一部に沿って配置されていて、所属の軸が調節ストロークに沿ってラックの傍らを通過すると、一方の駆動歯車が前記少なくとも１つのラックに噛み合うようになっている。
【００２６】
この実施態様によれば、供給装置が固有の駆動装置を必要としない。何故ならば、この供給装置は、搬送装置からの引き渡し位置において定置の駆動歯車を介して駆動され、調節ストロークに沿った調節時に、つまり枚葉紙をロールオンする際に、ラックを介して、及び第１及び第２の軸のうちの一方に支承された駆動歯車を介して駆動されるからである。
【００２７】
本発明による解決策の別の利点及び特徴は、以下に本発明の図示の実施例を用いて記載されている。
【００２８】
図１は、枚葉紙を選択的にスタック（積み紙）状に積み重ねるための装置の斜視図、
図２は、図１に示した装置の側面図、
図３は、図１に示した装置の平面図、
図４は、供給装置、及び紙幣を紙幣スタック（積み重ねた紙幣）上にロールオンする（ローラを用いて敷きのばす）作業の開始時におけるロールオン装置の部分の概略図、
図５は、ロールオンの終了直前の、図４に示した部分、
図６は、有価証券若しくは紙幣を預け入れるための装置の概略図である。
【００２９】
図１には、本発明の実施態様による、枚葉紙をスタック状に積み重ねるための装置１０の概略図が示されている。図２は概略的な側面図、図３は図示の装置１０の概略的な平面図である。
【００３０】
装置１０は、ボックス１２若しくは１４内で紙幣をスタック状に積み重ねるために用いられる。ボックス１２若しくは１４内にはそれぞれ１つの支持面１６若しくは１８が配置されており、これらの支持面１６若しくは１８はばね２０によって上方に向かってプリロード（予備荷重）をかけられている。支持面１６及び１８は、それぞれ紙幣スタック２２を支持するために用いられる（図２参照）。これらの支持面１６及び１８は、図１及び図３では見やすくするために省かれている。紙幣スタック２２の表面は、それぞれスタック面２４を形成しており、このスタック面２４上に別の紙幣が載せられる。
【００３１】
装置１０はさらに２つの第１のベルト２６を有しており、この第１のベルト２６は固定箇所２８に固定されていて、この固定箇所２８からスタック面２４に対して平行に、それぞれ１つの第１のローラ３０（図４、図５参照）にガイドされ、これらの第１のローラ３０を巡って下方にガイドされ、さらに第１の巻取り軸３４に支承されたそれぞれ１つの第１の貯蔵ローラ３２にガイドされている。同様の形式で第２のベルト３６が固定箇所３８に固定されていて、この固定箇所３８から、別のスタック面２４に対して平行にそれぞれ１つの第２のローラ４０にガイドされ、これらの第２のローラ４０を巡って下方にガイドされ、さらに、第２の巻取り軸４４に支承されたそれぞれ１つの第２の貯蔵ローラ４２にガイドされている。
【００３２】
第１のローラ３０は、第１の軸４６上に自由に回転可能に支承されていて、第２のローラ４０は、第２の軸４８上に自由に回転可能に支承されている。第１及び第２の軸４６，４８は、１つのスライダ（見やすくするために図示されていない）に一緒に支承されている。スライダは、第１の貯蔵ローラ３２と第２の貯蔵ローラ４２との間で、調節ストロークに沿って走行可能である。
【００３３】
第１のベルト２６と第２のベルト３６と、第１及び第２の軸４６，４８を備えたスライダと、このスライダ上に支承された第１のローラ３０若しくは第２のローラ４０と、第１及び第２の貯蔵ローラ３２，４２とは、ロールオン装置（敷きのばし装置）の主要な部材を形成している。このロールオン装置については、ドイツ連邦共和国特許第１０１０５２４２号明細書に詳しく記載されているので、その詳細についての説明は省く。
【００３４】
第１の軸４６に第３のローラ５０が相対回動不能に（つまり一緒に回転するように）組み付けられていて、第２の軸４８に３つの第４のローラ５２が相対回動不能に組み付けられている。第３のローラ５０の垂直上側に３つの第５のローラ５４が配置されており、これら３つの第５のローラ５４は、第３の軸５６（図２参照）に自由に回転可能に支承されている。第３の軸５６は、第１及び第２の軸４６，４８と同様にスライダ（図示せず）内に支承されている。第３の軸５６は、見やすくするために図１及び図３では省かれている。
【００３５】
第４のローラ５２の垂直上側には３つの第６のローラ５８が配置されており、これらの第６のローラ５８は、第４の軸６０に回転可能に支承されており、この第４の軸６０は図１及び図３では同様に省かれている。第４の軸６０は同様にスライダ（図示せず）内に支承されている。
【００３６】
各第３のローラ５０と、これらの第３のローラ５０の垂直上方に配置された各第５のローラ５４とをそれぞれ巡って第３のベルト６２が巻き掛けられており、また各第４のローラ５２と、これらの第４のローラ５２の垂直上方に配置された第６のローラ５８とそれぞれ巡って、第４のベルト６４が巻き掛けられている。第３及び第４のベルト６２，６４はエンドレスベルトであり、これらのエンドレスベルトは一緒にベルト搬送装置を形成している。このベルト搬送装置は、冒頭に述べた枚葉紙供給装置の１実施例を示している。
【００３７】
第１及び第２の軸４６，４８の両端部にカップリング歯車６６が組み付けられており、このカップリング歯車６６は互いに噛み合っていて、それによって第１及び第２の軸４６，４８は互いに連結している。
【００３８】
図１で第１の軸４６の後端部に駆動歯車６８（図１では隠れているので、図３参照）が配置され、また図１で第２の軸４８の前端部には第２の駆動歯車７０が配置されている。第１及び第２の駆動歯車６８，７０は、フリーホイールを介して第１若しくは第２の軸４６，４８に連結されていて、所属の軸４６若しくは４８を、枚葉紙供給方向に相当する回転方向だけで駆動可能である。つまり、第３及び第４のベルト６２，６４の互いに当接し合う区分を上方から下方へ移動させる回転方向だけで駆動可能である。図１には、第２の駆動歯車７０におけるこの回転方向が矢印７１によって示されている。
【００３９】
図１及び図３に示されているように、調節ストロークに沿って第１のラック７２及び第２のラック７４が配置されており、これらの第１のラック７２及び第２のラック７４に、スライダ（図示せず）の適当な位置において第１若しくは第２の歯車６８，７０が噛み合うようになっている。
【００４０】
図２に示されているように、紙幣ボックス１２と１４との間に、垂直方向に延びるベルトによって形成された搬送装置７６が配置されている。
【００４１】
以下に装置１０の機能形式について説明する。図１、図２及び図３では、スライダ（図示せず）が２つの紙幣ボックス１２と１４との間の中央位置に配置されている。スライダ自体は図示されておらず、このスライダの機能を説明するために必要な主要な構成部分だけ、つまり第１の軸４６及び第２の軸４８と、これらの軸４６，４８上に配置されたカップリング歯車６６及び駆動歯車６８，７０と、第１若しくは第２の軸上に自由に回転可能に支承された第１若しくは第２のローラ３０，４０と、枚葉紙供給装置とが図示されている。枚葉紙供給装置は、第３のローラ５０と第４のローラ５２と第５のローラ５４と第６のローラ５８と第３及び第４のベルト６２，６４とから形成されている。
【００４２】
スライダのこの中央位置において、枚葉紙供給装置は引き渡し位置にある。この引き渡し位置において、第３のベルト６２と第４のベルト６４との間で下方に搬送される紙幣（銀行券）が搬送装置７６に引き渡され、この搬送装置７６によってボックス１２と１４との間を通ってさらに下方に搬送される。供給装置のこの引き渡し位置において、歯車７８（図２参照）が第１の駆動歯車６８に噛み合い、それによって供給装置の搬送ベルトつまり第３及び第４のベルト６２，６４を駆動する。
【００４３】
紙幣を、図面で左側のボックス１２内の紙幣スタック２２上に積み重ねたい場合は、紙幣の前縁部を、供給装置内で、上側のローラ（つまり第５及び第６のローラ５４，５８）と下側のローラ（つまり第３及び第４のローラ５０，５２）との間の中央に配置し、それによって、第１の巻取り軸３４を駆動させることによって第１のベルト２６の巻取りを開始する。第１の巻取り軸３４と第２の巻取り軸４４とは歯付きベルト（図示せず）を介して互いに連結されていて、第１のベルト２６の巻取りと同時に第２のベルト３６が繰り出されるようになっている。この場合、スライダは第１のベルト２６によって、調節ストロークに沿って左側のボックス１２上に引き寄せられる。
【００４４】
スライダがその中央位置を後にすると直ちに、定置の歯車７８（図２）と第１の駆動歯車６８との噛み合いが解除される。それと同時に、第２の駆動歯車７０は第２のラック７４（図１、図３）に噛み合い、スライダがさらに調節されると第２のラック７４によって駆動される。第２の駆動歯車７０は第２の軸４８を駆動し、ひいてはこの第２の軸４８に相対回動不能に取り付けられた第４のローラ５２を駆動する。それと同時に第１の軸４６及びひいてはこの第１の軸４６に相対回動不能に取り付けられた第３のローラ５０が、カップリング歯車６６を介して駆動される。それによって供給装置全体が、スライダの運動によってつまり最終的に第１のベルト２６の巻取りによって駆動される。
【００４５】
スライダが左方向に移動すると、紙幣は供給装置内で垂直下方に搬送される。つまり紙幣はその移動方向で前方の縁部が、左側のボックス１２内の紙幣スタック２２の右側の端部にぶつかり、次いで紙幣スタック２２の右端部から左端部に向かってロールオンされる（敷きのばされる）。
【００４６】
図４及び図５には、紙幣を紙幣スタック２２上にロールオンする際の状態が示されている。この場合、ベルトの循環方向及びローラの回転方向は、それぞれ矢印によって示されている。図４には、ロールオンを開始する瞬間が示されている。ここでは紙幣８０が、第３のベルト６２と第４のベルト６４との間で垂直下方に搬送され、ちょうど紙幣スタック２２の右縁部上にぶつかっている状態が示されている。この場合、スライダが左方向に移動せしめられる際に、紙幣８０の前縁部８２は紙幣スタック２２に留まっており、それによって紙幣８０の前端部は、図４に示したように湾曲され、次いで第４のローラ５２及び第２のローラ４０によって、紙幣スタック２２の上側面上にロールオンされる。この場合、第２のベルト３６は紙幣８０上を転動し、それによって紙幣スタック２２が保持される。
【００４７】
図４では、第１のローラ３０及び第２のローラ４０は隠れているので、破線で示されている。図４に示されているように、第３のローラ５０及び第４のローラ５２の直径は、第１のローラ３０及び第２のローラ４０の直径よりもやや大きい。第３及び第４のローラ５０，５２の外周面が互いに密接して隣接し合っていて、第３のベルト６２と第４のベルト６４とが互い狭い間隔を保って位置しているのに対して、第３のローラ３０と第２のローラ４０との間には、やや大きいローラギャップが形成されている。第１及び第２のローラ３０，４０の大きさが、第３及び第４のローラ５０，５２の大きさよりも小さいことによって、第１及び第２のベルト２６，３６は、ローラギャップの領域内で紙幣８０に接触しない。このことは重要である。何故ならば、第１のベルト２６は第１のローラ３０の回転方向に基づいて紙幣８０の下方への搬送方向とは逆方向に移動し、紙幣８０はできるだけ下方に押し付けられるようになるからである。第１のローラ及び第２のローラ３０，４０と第３のローラ及び第４のローラ５０，５２との大きさの差は、分かりやすくするために図４では著しく誇張して示されている。この大きさの差は実際には非常に小さい直径差で十分である。
【００４８】
図５には、紙幣８０のロールオン作業の終了直前の瞬間が示されている。図５に示されているように、紙幣８０は第２のベルト３６によって紙幣スタック２２上で保持されている。次いでスライダが中央位置に戻り移動せしめられる。この場合、供給装置はもはや駆動されない。何故ならば第２の駆動歯車７０がフリーホイールを有していて、スライダの戻り移動時に第２の軸６６にトルクを伝達しないからである。
【００４９】
右側のカセット１４の紙幣スタック２２上に紙幣を載せる作業は、上記と同じ原理で行われるが、第１のベルト２６の代わりに第２のベルト３６が所属の別の貯蔵ローラ４２に巻取られる。
【００５０】
前述のように装置１０は、紙幣を紙幣スタック上にロールオンするだけではなく、選択的に積み重ねるためにも用いられ、また紙幣を垂直方向でさらに搬送することもできる。図６には、有価証券若しくは紙幣を預け入れるための装置８４が示されており、この装置８４は前記装置１０を３つ有している。これら３つの装置１０は、紙幣８２がそれぞれ上側の（図６では最上位の）装置１０の搬送方向７６から、その下に位置する（図６では中央の）装置１０の供給装置に直接引き渡すことができる。預け入れられた紙幣８２は、詳しく説明されていない搬送装置８６によって、最上位にある装置１０の枚葉紙供給装置内に供給され、次いで、１つのポイントも必要とすることなしに、６つのボックスのうちの１つのボックス内で所望に積み重ねることができる。前記装置１０を使用することによって、装置８２は構造が非常に簡単で、故障しにくくなっている。
【図面の簡単な説明】
【００５１】
【図１】枚葉紙を選択的にスタック（積み紙）状に積み重ねるための装置の斜視図である。
【図２】図１に示した装置の側面図である。
【図３】図１に示した装置の平面図である。
【図４】供給装置、及び紙幣を紙幣スタック（積み重ねた紙幣）上にロールオンする作業の開始時におけるロールオン装置の部分の概略図である。
【図５】ロールオンの終了直前の、図４に示した部分の概略図である。
【図６】有価証券若しくは紙幣を預け入れるための装置の概略図である。
【符号の説明】
【００５２】
１０  枚葉紙を選択的にスタック状に積み重ねるための装置、
１２  ボックス
１４  ボックス
１６  支持面
１８  支持面
２０  ばね
２２  紙幣スタック
２４  スタック面
２６  第１のベルト
２８  固定箇所
３０  第１のローラ
３２  貯蔵ローラ
３４  巻取り軸
３６  第２のベルト
３８  固定箇所
４０  第２のローラ
４２  貯蔵ローラ
４４  巻取りローラ
４６  第１の軸
４８  第２の軸
５０  第３のローラ
５２  第４のローラ
５４  第５のローラ
５６  第３の軸
５８  第６の軸
６０  第４の軸
６２  第３のベルト
６４  第４のベルト
６６  カップリング歯車
６８  第１の駆動歯車
７０  第２の駆動歯車
７１  回転方向
７２  第１のラック
７４  第２のラック
７６  搬送装置
７８  定置の歯車
８０  紙幣
８２  紙幣８０の前縁部
８４  有価証券又は紙幣を預け入れるための装置
８６  搬送装置
【図１】
2007506627.tif 000003
【図２】
2007506627.tif 000004
【図３】
2007506627.tif 000005
【図４】
2007506627.tif 000006
【図５】
2007506627.tif 000007
【図６】
2007506627.tif 000008
【国際調査報告】
2007506627.tif 000009
2007506627.tif 000010
2007506627.tif 000011
2007506627.tif 000012
2007506627.tif 000013
2007506627.tif 000014